(57)【要約】【課題】測定で用いる測定部に対応したオフセット値に自動的に切り替えて測定値を演算することで、測定における作業性を向上させることができる測定器の提供。【解決手段】ノギス１は、互いに接離可能な一対の測定面を有する第１測定部および第２測定部の離間距離を出力するエンコーダ２０と、第１測定部および第２測定部の測定面が被測定物に当接したことを検出する検出手段３０と、エンコーダ２０および検出手段３０を制御する制御手段４０と、を備える。制御手段４０は、第１測定モードおよび第２測定モードを検出手段３０の検出結果に基づいて切り替えるモード切替部４２と、第１測定モードおよび第２測定モードのそれぞれに関連付けられたオフセット値を記憶する記憶部５０と、を備える。第１測定モードおよび第２測定モードのそれぞれは、エンコーダ２０の出力結果とオフセット値とに基づいて測定値を演算する。【選択図】図２
2017198478.tif 000002
【特許請求の範囲】
【請求項１】
互いに接離可能な一対の測定面を有する第１測定部と、互いに接離可能な一対の測定面を有する第２測定部と、を備え、前記第１測定部と前記第２測定部とが互いに連動して接離移動するとともに、被測定物に当接させた前記第１測定部および前記第２測定部の離間距離に基づいて前記被測定物の寸法を測定する測定器であって、
前記第１測定部および前記第２測定部の離間距離を出力する出力手段と、
前記第１測定部および前記第２測定部のうちの少なくとも一方の測定面が前記被測定物に当接したことを検出する検出手段と、
前記出力手段および前記検出手段を制御する制御手段と、を備え、
前記制御手段は、
前記第１測定部により測定を実行する第１測定モードおよび前記第２測定部により測定を実行する第２測定モードを前記検出手段の検出結果に基づいて切り替えるモード切替部と、
前記第１測定モードに関連付けられたオフセット値および前記第２測定モードに関連付けられたオフセット値の少なくともいずれか一方を記憶する記憶部と、を備え、
前記第１測定モードおよび前記第２測定モードのそれぞれは、
前記出力手段にて出力された離間距離と、前記記憶部に記憶されたオフセット値とに基づいて測定値を演算することを特徴とする測定器。
【請求項２】
請求項１に記載された測定器において、
前記検出手段は、
前記第２測定部の測定面が前記被測定物に当接した場合に検出結果を出力し、
前記モード切替部は、
前記検出結果が出力されなかった場合に前記第１測定モードに切り替え、
前記検出結果が出力された場合に前記第２測定モードに切り替え、
前記第１測定モードおよび前記第２測定モードのそれぞれは、
前記出力手段にて出力された離間距離と、前記記憶部に記憶されたオフセット値とに基づいて測定値を演算することを特徴とする測定器。
【請求項３】
請求項１に記載された測定器において、
前記検出手段は、
前記第１測定部の測定面が前記被測定物に当接した場合に第１の検出結果を出力し、前記第２測定部の測定面が前記被測定物に当接した場合に第２の検出結果を出力し、
前記モード切替部は、
前記第１の検出結果が出力された場合に前記第１測定モードに切り替え、
前記第２の検出結果が出力された場合に前記第２測定モードに切り替え、
前記第１測定モードおよび前記第２測定モードのそれぞれは、
前記出力手段にて出力された離間距離と、前記記憶部に記憶されたオフセット値とに基づいて測定値を演算することを特徴とする測定器。
【請求項４】
請求項２または請求項３に記載された測定器において、
使用者からの操作を受け付ける操作部をさらに備え、
前記モード切替部は、
前記操作部が操作されるとともに前記検出結果が出力された場合に前記第１測定モードおよび前記第２測定モードを切り替えることを特徴とする測定器。
【請求項５】
請求項２または請求項３に記載された測定器において、
前記モード切替部は、
前記検出手段から所定の時間継続して前記検出結果が出力された場合に前記第１測定モードおよび前記第２測定モードを切り替えることを特徴とする測定器。
【発明の詳細な説明】
【技術分野】
【０００１】
本発明は、被測定物に当接させて測定する複数の測定部を備える測定器に関する。
【背景技術】
【０００２】
従来、被測定物に当接させた少なくとも一対の測定部の離間距離に基づいて被測定物の寸法を測定する測定器として、ノギスやハイトゲージ等が知られている。
ノギスを一例として説明すると、例えば、特許文献１に記載された電子式ノギスは、測定ジョー（内側測定ジョーおよび外側測定ジョー）を有する本尺と、本尺の測定ジョーと対になる測定ジョーを有するとともに本尺に対して摺動自在に設けられたスライダと、本尺に対するスライダの移動変位量を電気信号として検出するエンコーダと、を備えて構成されている。スライダには、エンコーダによって検出される移動変位量をデジタル表示するデジタル表示器と、電源のＯＮ／ＯＦＦスイッチと、ゼロセットスイッチ等が設けられている。
【０００３】
ところで、従来のノギスとして、一対の測定部である外側測定ジョーを用いて外側測定と内側測定ができるノギスが知られている。例えば、図１５〜図１６に示すように、ノギスＮにおいて、本尺１００の外側測定ジョー１１０およびスライダ２００の外側測定ジョー２１０には、互いに対向する一対の外側測定面１１１，２１１と、一対の外側測定面１１１，２１１の反対側に位置する一対の内側測定面１１２，２１２と、が設けられている。
【０００４】
このようなノギスＮにおいて、外側測定をする場合は、図１５に示すように、一対の外側測定面１１１，２１１を用いて被測定物Ｗ１を挟持して測定する。また、内側測定をする場合は、図１６に示すように、一対の内側測定面１１２，２１２を被測定物Ｗ２に当接させて測定する。このとき、デジタル表示器３００には外側測定の測定値が表示される。このため、内側測定の測定値を取得するためには、外側測定の測定値に内側測定のオフセット値を加算して測定値を補正する必要がある。ここで、オフセット値は、各外側測定ジョー１１０，２１０の幅の合計値である。すなわち、内側測定のオフセット値は外側測定面１１１から内側測定面１１２までの距離と、外側測定面２１１から内側測定面２１２までの距離との合計値である。
【先行技術文献】
【特許文献】
【０００５】
【特許文献１】特開平６−３０７８０２号公報
【発明の概要】
【発明が解決しようとする課題】
【０００６】
従来のノギスでは、内側測定の測定値を取得するためにオフセット値を手計算で足したり、測定値にオフセット値を反映させるオフセットボタンを操作したりして内側測定の測定値を取得しなければならず、作業性が低下してしまうという問題があった。
【０００７】
本発明の目的は、測定で用いる測定部に対応したオフセット値に自動的に切り替えて測定値を演算することで、測定における作業性を向上させることができる測定器を提供することである。
【課題を解決するための手段】
【０００８】
本発明の測定器は、互いに接離可能な一対の測定面を有する第１測定部と、互いに接離可能な一対の測定面を有する第２測定部と、を備え、前記第１測定部と前記第２測定部とが互いに連動して接離移動するとともに、被測定物に当接させた前記第１測定部および前記第２測定部の離間距離に基づいて前記被測定物の寸法を測定する測定器であって、前記第１測定部および前記第２測定部の離間距離を出力する出力手段と、前記第１測定部および前記第２測定部のうちの少なくとも一方の測定面が前記被測定物に当接したことを検出する検出手段と、前記出力手段および前記検出手段を制御する制御手段と、を備え、前記制御手段は、前記第１測定部により測定を実行する第１測定モードおよび前記第２測定部により測定を実行する第２測定モードを前記検出手段の検出結果に基づいて切り替えるモード切替部と、前記第１測定モードに関連付けられたオフセット値および前記第２測定モードに関連付けられたオフセット値の少なくともいずれか一方を記憶する記憶部と、を備え、前記第１測定モードおよび前記第２測定モードのそれぞれは、前記出力手段にて出力された離間距離と、前記記憶部に記憶されたオフセット値とに基づいて測定値を演算することを特徴とする。
【０００９】
このような構成によれば、第１測定部および第２測定部のうちの少なくとも一方の測定面が被測定物に当接したことを検出する検出手段を備えているので、検出手段は第１測定部および第２測定部のうちの少なくとも一方の測定部を用いて測定をしているか否かを検出することができる。
そして、第１測定部および第２測定部に対応したオフセット値を用いて測定値を演算する第１測定モードおよび第２測定モードを、検出手段の検出結果によって自動的に切り替えるモード切替部を備えているので、測定における作業効率を向上させることができる。
【００１０】
この際、前記検出手段は、前記第２測定部の測定面が前記被測定物に当接した場合に検出結果を出力し、前記モード切替部は、前記検出結果が出力されなかった場合に前記第１測定モードに切り替え、前記検出結果が出力された場合に前記第２測定モードに切り替え、前記第１測定モードおよび前記第２測定モードのそれぞれは、前記出力手段にて出力された離間距離と、前記記憶部に記憶されたオフセット値とに基づいて測定値を演算することが好ましい。
【００１１】
このような構成によれば、検出手段は第２測定部の測定面が被測定物と当接した場合に検出結果を出力するので、モード切替部は、第１測定モードおよび第２測定モードを切り替えるタイミングを容易に判断することができる。また、モード切替部は、検出手段からの検出結果が出力されなかった場合に第１測定モードに切り替え、検出結果が出力された場合に第２測定モードに切り替えるため、簡単な構成の測定器で各測定部のオフセット値が反映された測定値を取得することができる。そして、簡単な構成の測定器を用いて測定をすることで作業性の向上を図ることができる。
【００１２】
また、前記検出手段は、前記第１測定部の測定面が前記被測定物に当接した場合に第１の検出結果を出力し、前記第２測定部の測定面が前記被測定物に当接した場合に第２の検出結果を出力し、前記モード切替部は、前記第１の検出結果が出力された場合に前記第１測定モードに切り替え、前記第２の検出結果が出力された場合に前記第２測定モードに切り替え、前記第１測定モードおよび前記第２測定モードのそれぞれは、前記出力手段にて出力された離間距離と、前記記憶部に記憶されたオフセット値とに基づいて測定値を演算することが好ましい。
【００１３】
このような構成によれば、検出手段は、第１測定部の測定面が被測定物に当接した場合に第１の検出結果を出力し、第２測定部の測定面が被測定物に当接した場合に第２の検出結果を出力するため、モード切替部は、使用者が測定器の第１測定部および第２測定部のどちらを用いて測定をしているかを容易に判定し、第１測定モードおよび第２測定モードに切り替えることができる。また、モード切替部は、第１の検出結果または第２の検出結果に基づいて第１測定モードおよび第２測定モードを切り替えるため、自動でモード切り替えをしたとしても、第１測定部または第２測定部に応じたオフセット値が反映された測定値を確実に演算することができる。また、自動的にオフセット値が反映された測定値が得られるため、測定器を用いた作業性の向上を図ることができる。
【００１４】
この際、使用者からの操作を受け付ける操作部をさらに備え、前記モード切替部は、前記操作部が操作されるとともに前記検出結果が出力された場合に前記第１測定モードおよび前記第２測定モードを切り替えることが好ましい。
【００１５】
ここで、検出結果とは、前述した第１の検出結果および第２の検出結果を含んでいるものとする。
このような構成によれば、使用者は、使用者からの操作を受け付ける操作部を操作することで第１測定モードおよび第２測定モードを切り替えることができる。このため、使用者は、第１測定モードを実行させて測定値を取得するか、第２測定モードを実行させて測定値を取得するかを任意のタイミングで選択することができる。したがって、測定器の利便性の向上を図ることができる。
【００１６】
この際、前記モード切替部は、前記検出手段から所定の時間継続して前記検出結果が出力された場合に前記第１測定モードおよび前記第２測定モードを切り替えることが好ましい。
【００１７】
このような構成によれば、モード切替部は、検出手段による検出結果（第１の検出結果および第２の検出結果を含む）が、所定の時間継続して出力された場合に第１測定モードおよび第２測定モードを切り替えるため、検出手段による検出結果の誤検出を防ぐとともに、第１測定モードおよび第２測定モードは測定値を安定して出力することができる。
【図面の簡単な説明】
【００１８】
【図１】本発明の第１実施形態に係る測定器であるノギスを示す正面図
【図２】前記ノギスの概略構成を示すブロック図
【図３】前記ノギスの制御手段の動作を説明するフローチャート
【図４】前記ノギスの外側測定モードの動作を示すフローチャート
【図５】前記ノギスの内側測定モードの動作を示すフローチャート
【図６】本発明の第２実施形態に係る測定器であるノギスを示す正面図
【図７】前記ノギスの概略構成を示すブロック図
【図８】前記ノギスの制御手段の動作を説明するフローチャート
【図９】本発明の第３実施形態に係る測定器であるノギスの概略構成を示すブロック図
【図１０】前記ノギスの制御手段の動作を説明するフローチャート
【図１１】本発明の第４実施形態に係る測定器であるノギスの概略構成を示すブロック図
【図１２】前記ノギスの制御手段の動作を説明するフローチャート
【図１３】本発明の第５実施形態に係る測定器であるノギスの概略構成を示すブロック図
【図１４】前記ノギスの制御手段の動作を説明するフローチャート
【図１５】従来のノギスの外側測定を示す図
【図１６】従来のノギスの内側測定を示す図
【発明を実施するための形態】
【００１９】
〔第１実施形態〕
以下、本発明の第１実施形態を図面に基づいて説明する。
図１は、本発明の第１実施形態に係る測定器であるノギスを示す正面図である。
被測定物に当接させた少なくとも一対の測定部の離間距離に基づいて被測定物の寸法を測定する測定器の一例である本実施形態のノギス１は、図１に示すように、長尺状の本尺２と、本尺２の長手方向（Ｘ方向）に沿って摺動自在に設けられたスライダ３と、を備えている。
なお、以下の説明および各図面において、本尺２の長手方向をＸ方向と記し、Ｘ方向に直交する本尺２の幅方向をＹ方向と記載する場合がある。
【００２０】
本尺２は、略Ｔ字状に形成され、矩形板状の本尺基礎４と、本尺基礎４の長手方向の一端側（＋Ｘ方向）に形成された第１外側測定ジョー５（−Ｙ方向）と、第１外側測定ジョー５の反対側に形成された第１内側測定ジョー５Ａ（＋Ｙ方向）と、を備えている。
スライダ３は、第１外側測定ジョー５と対になる第２外側測定ジョー６（−Ｙ方向）と、第１内側測定ジョー５Ａと対になる第２内側測定ジョー６Ａ（＋Ｙ方向）と、を備えている。また、スライダ３の正面には、表示部７と、電源のＯＮ／ＯＦＦスイッチ８Ａと、スライダ３の移動変位量をゼロセットするゼロセットスイッチ８Ｂとが設けられている。
表示部７は、例えば液晶表示パネルを有し、第１外側測定ジョー５および第２外側測定ジョー６等によって測定された被測定物の測定値が表示される。
【００２１】
第１外側測定ジョー５は、第２外側測定ジョー６と対向する第１測定面１１と、第１測定面１１の反対側に形成された第２測定面１２と、を有し、第２外側測定ジョー６は、第１測定面１１と対向する第３測定面１３と、第３測定面１３の反対側に形成された第４測定面１４と、を有している。
ここで、第１測定面１１および第３測定面１３は、互いに接離可能な一対の外側測定面であり、外側測定を実行する外側測定部（第１測定部）である。また、第２測定面１２および第４測定面１４は、互いに接離可能な一対の内側測定面であり、内側測定を実行する内側測定部（第２測定部）である。
【００２２】
ノギス１は、外側測定部と内側測定部とが互いに連動して接離移動するとともに、被測定物に当接させた外側測定部および内側測定部の離間距離に基づいて被測定物の寸法を測定する。具体的には、外側測定部は、被測定物に第１測定面１１と第３測定面１３とを当接させて外側測定を行い、内側測定部は、被測定物に第２測定面１２と第４測定面１４とを当接させて内側測定を行う。そして、外側測定部および内側測定部には、それぞれにオフセット値が設けられている。
【００２３】
外側測定部の場合、オフセット値は、第１外側測定ジョー５の第１測定面１１と、第２外側測定ジョー６の第３測定面１３とを当接させて閉じたときの第１測定面１１から第３測定面１３までの距離である。したがって、外側測定部の場合、オフセット値は０ｍｍである。
また、内側測定部の場合、オフセット値は、第１外側測定ジョー５および第２外側測定ジョー６の幅の合計値である。したがって、第１測定面１１から第２測定面１２までの距離と、第３測定面１３から第４測定面１４までの距離との合計値がオフセット値となる。この際、内側測定部のオフセット値は例えば４ｍｍである。
【００２４】
図２は、前記ノギスの概略構成を示すブロック図である。
ノギス１は、図２に示すように、本尺２に対するスライダ３（図１参照）の移動変位量を電気信号として出力する出力手段であるエンコーダ２０と、測定面が被測定物と当接したことを検出する検出手段３０と、エンコーダ２０および検出手段３０等を制御する制御手段４０と、を備えている。
【００２５】
エンコーダ２０は、スライダ３の内部に設けられており、外側測定部および内側測定部のそれぞれの一対の測定面の離間距離を電気信号として出力する。
ここで、外側測定部および内側測定部のそれぞれの一対の測定面の離間距離とは、第１外側測定ジョー５および第２外側測定ジョー６の第１測定面１１と第３測定面１３とを当接させて閉じた状態からの本尺２に対するスライダ３の移動変化量（以下、読み値とする）である。
【００２６】
検出手段３０は、第１外側測定ジョー５の第２測定面１２が被測定物と当接した場合に検出結果を出力し、第１外側測定ジョー５の第２測定面１２が被測定物と当接していない場合に検出結果を出力しない。この検出手段３０は、第２測定面１２が被測定物と当接したことが検出できればよく、例えば歪みゲージや接触センサ、近接センサ等を用いることができる。
【００２７】
制御手段４０は、外側測定部および内側測定部のそれぞれの測定面の接離移動距離に基づいて測定値を算出する。そして、制御手段４０は、外側測定部による被測定物の外側測定の測定値を算出する外側測定モード（第１測定モード）と、内側測定部による被測定物の内側測定の測定値を算出する内側測定モード（第２測定モード）と、を有している。
外側測定モードおよび内側測定モードを実行するために、制御手段４０は、測定値を算出する測定値演算部４１と、外側測定モードおよび内側測定モードを切り替えるモード切替部４２と、オフセット値や演算結果等を格納する記憶部５０と、を備えている。
外側測定モードおよび内側測定モードは、測定値演算部４１とモード切替部４２によって実行される。
【００２８】
測定値演算部４１は、エンコーダ２０からの読み値を演算して測定値を算出し、測定値を表示部７に出力して表示させたり、記憶部５０に出力して記憶させたりする。
モード切替部４２は、検出手段３０によって検出された検出結果に基づいて外側測定モードおよび内側測定モードを切り替える。具体的には、モード切替部４２は、検出手段３０から検出結果が出力されなかった場合に外側測定モードに切り替え、検出手段３０から検出結果が出力された場合に内側測定モードに切り替える。
【００２９】
また、モード切替部４２は、検出手段３０から所定の時間継続して検出結果が出力された場合に外側測定モードおよび内側測定モードを切り替える。
記憶部５０は、外側測定モードに関連付けられたオフセット値および内側測定モードに関連付けられたオフセット値の少なくともいずれか一方を記憶し、オフセット値をモード切替部４２に出力する。
なお、本実施形態では、外側測定部のオフセット値は０ｍｍであるため、オフセット値は内側測定部のみに設定されている。したがって、記憶部５０には、内側測定モードに関連付けられたオフセット値のみが記憶されている。
【００３０】
図３は、前記ノギスの制御手段の動作を説明するフローチャートである。
図３に基づいて制御手段４０の動作について説明する。
ノギス１は、使用者によりＯＮ／ＯＦＦスイッチ８Ａ（図１参照）が操作されると電源がＯＮになり、測定を開始する。測定が開始されたノギス１の制御手段４０は、先ず、外側測定モードを実行する（ステップＳＴ１１）。次に、モード切替部４２は、検出手段３０の検出結果から第１外側測定ジョー５の第２測定面１２が被測定物と当接したか否かを判定する（ステップＳＴ１２）。
【００３１】
モード切替部４２は、検出手段３０の検出結果から第２測定面１２が被測定物と当接したと判定した場合（ステップＳＴ１２でＹＥＳ）、続いて、第２測定面１２が被測定物と所定の時間当接したか否かを判定する（ステップＳＴ１３）。
モード切替部４２は、検出手段３０の検出結果から第２測定面１２が被測定物と当接しなかったと判定した場合（ステップＳＴ１２でＮＯ）、ステップＳＴ１１へと戻り、制御手段４０は外側測定モードを実行する。
【００３２】
モード切替部４２は、第２測定面１２が被測定物と所定の時間当接したと判定した場合（ステップＳＴ１３でＹＥＳ）、外側測定モードを内側測定モードへと切り替え、制御手段４０は内側測定モードを実行する（ステップＳＴ１４）。モード切替部４２は、第２測定面１２が被測定物と所定の時間当接しなかったと判定した場合（ステップＳＴ１３でＮＯ）、ステップＳＴ１１へと戻り、制御手段４０は外側測定モードを実行する。
【００３３】
その後、モード切替部４２は、検出手段３０の検出結果から第２測定面１２が被測定物と当接しているか否かを判定する（ステップＳＴ１５）。モード切替部４２は、検出手段３０の検出結果から第２測定面１２が被測定物に当接していると判定した場合（ステップＳＴ１５でＹＥＳ）、ステップＳＴ１４へと戻る。そして、制御手段４０は内側測定モードを実行する。
【００３４】
モード切替部４２は、検出手段３０の検出結果から第２測定面１２が被測定物から離れたと判定した場合（ステップＳＴ１５でＮＯ）、内側測定モードを外側測定モードへと切り替え、ステップＳＴ１１へと戻る。そして、制御手段４０は外側測定モードを実行する。
測定を終了する場合、ノギス１は、使用者によりＯＮ／ＯＦＦスイッチ８Ａが操作されると電源がＯＦＦになり、測定を終了する。
【００３５】
図４は、前記ノギスの外側測定モードの動作を示すフローチャートである。具体的には、図３のステップ１１における外側測定モードの動作を示すフローチャートである。
図４に基づいてノギス１における外側測定の動作について説明する。
ノギス１による測定が開始されると、使用者は本尺２に対してスライダ３を摺動させる。スライダ３が摺動すると、制御手段４０の測定値演算部４１は、エンコーダ２０から電気信号を受信してスライダ３の読み値を取得する（ステップＳＴ２１）。そして、測定値演算部４１は、読み値を演算して外側測定の測定値を算出する（ステップＳＴ２２）。測定値演算部４１は、算出された外側測定の測定値を表示部７に表示させる（ステップＳＴ２３）。
【００３６】
図５は、前記ノギスの内側測定モードの動作を示すフローチャートである。具体的には、図３のステップ１４における内側測定モードの動作を示すフローチャートである。
図５に基づいてノギス１における内側測定の動作について説明する。
ノギス１による測定が開始されると、使用者は本尺２に対してスライダ３を摺動させる。スライダ３が摺動すると、制御手段４０の測定値演算部４１は、エンコーダ２０から電気信号を受信してスライダ３の読み値を取得する（ステップＳＴ３１）。ここで、モード切替部４２は、記憶部５０からオフセット値を読み込み、オフセット値を測定値演算部４１に出力する（ステップＳＴ３２）。測定値演算部４１は、読み値とオフセット値とに基づいて演算し内側測定の測定値を算出する（ステップＳＴ３３）。具体的には、エンコーダ２０から取得した読み値に対してオフセット値を加算することで内側測定の測定値を算出する。そして、測定値演算部４１は、算出した内側測定の測定値を表示部７に表示させる（ステップＳＴ３４）。
【００３７】
このような第１実施形態によれば、以下の作用・効果を奏することができる。
（１）ノギス１は、外側測定部および内側測定部のうちの少なくとも一方の測定面が被測定物に当接したことを検出する検出手段３０を備えているので、検出手段３０は外側測定部および内側測定部のうちの少なくとも一方の測定部を用いて測定をしているか否かを検出することができる。
（２）ノギス１は、外側測定部および内側測定部に対応したオフセット値を用いて測定値を演算する外側測定モードおよび内側測定モードを、検出手段３０の検出結果によって自動的に切り替えるモード切替部４２を備えているので、測定における作業効率を向上させることができる。
【００３８】
（３）検出手段３０は内側測定部の測定面が被測定物と当接した場合に検出結果を出力するので、モード切替部４２は、外側測定モードおよび内側測定モードを切り替えるタイミングを容易に判断することができる。
（４）モード切替部４２は、検出手段３０からの検出結果が出力されなかった場合に外側測定モードに切り替え、検出結果が出力された場合に内側測定モードに切り替えるため、簡単な構成のノギス１で各測定部のオフセット値が反映された測定値を取得することができる。そして、簡単な構成のノギス１を用いて測定をすることで作業性の向上を図ることができる。
【００３９】
（５）モード切替部４２は、検出手段３０による検出結果が所定の時間継続して出力された場合に外側測定モードおよび内側測定モードを切り替えるため、検出手段３０による検出結果の誤検出を防ぐとともに、外側測定モードおよび内側測定モードは測定値を安定して出力することができる。
【００４０】
〔第２実施形態〕
以下、本発明の第２実施形態を図面に基づいて説明する。なお、以下の説明では、既に説明した部分については、同一符号を付してその説明を省略する。
図６〜図７は、本発明の第２実施形態に係る測定器であるノギスを示す図である。具体的には、図６はノギス１Ａを示す正面図であり、図７はノギス１Ａの概略構成を示すブロック図である。
【００４１】
本実施形態のノギス１Ａは、前記第１実施形態のノギス１と略同様の構成を備えるとともに、図６に示すように、スライダ３の正面に操作部９をさらに備えている。また、図７に示すように、制御手段４０は、使用者による操作部９の操作に応じて外側測定モードおよび内側測定モードを切り替えるモード切替部４２Ａを備えている。
【００４２】
前記第１実施形態では、モード切替部４２は、検出手段３０の検出結果に基づき外側測定モードおよび内側測定モードを切り替えていた。
本実施形態のモード切替部４２Ａは、使用者によって操作部９が操作されるとともに検出手段３０の検出結果が出力された場合に外側測定モードおよび内側測定モードを切り替える点で前記第１実施形態と異なる。
【００４３】
なお、操作部９は、ボタン式でもスイッチ式でもよく、使用者が操作することができれば、どのような構成であってもよい。
【００４４】
図８は、前記ノギスの制御手段の動作を説明するフローチャートである。
図８に基づいて制御手段４０の動作について説明する。
ノギス１Ａは、使用者によりＯＮ／ＯＦＦスイッチ８Ａ（図６参照）が操作されると電源がＯＮになり、測定を開始する。測定が開始されたノギス１Ａの制御手段４０は、先ず、外側測定モード（図４参照）を実行する（ステップＳＴ４１）。次に、モード切替部４２Ａは、操作部９が使用者によって操作されたか否かを判定する（ステップＳＴ４２）。
【００４５】
モード切替部４２Ａは、使用者によって操作部９が操作されたと判定した場合（ステップＳＴ４２でＹＥＳ）、続いて、検出手段３０の検出結果から第２測定面１２が被測定物と当接しているか否かを判定する（ステップＳＴ４３）。
モード切替部４２Ａは、使用者によって操作部９が操作されなかったと判定した場合（ステップＳＴ４２でＮＯ）、ステップＳＴ４１へと戻り、制御手段４０は外側測定モードを実行する。
【００４６】
モード切替部４２Ａは、検出手段３０の検出結果から第２測定面１２が被測定物と当接していると判定した場合（ステップＳＴ４３でＹＥＳ）、外側測定モードを内側測定モード（図５参照）へと切り替える。そして、制御手段４０は内側測定モードを実行する（ステップＳＴ４４）。
モード切替部４２Ａは、検出手段３０の検出結果から第２測定面１２が被測定物と当接していないと判定した場合（ステップＳＴ４３でＮＯ）、ステップＳＴ４１へと戻る。そして、制御手段４０は外側測定モードを実行する。
【００４７】
その後、モード切替部４２Ａは、使用者によって操作部９が操作されたか否かを判定する（ステップＳＴ４５）。モード切替部４２Ａは、使用者によって操作部９が操作されたと判定した場合（ステップＳＴ４５でＹＥＳ）、続いて、検出手段３０の検出結果から第２測定面１２が被測定物と当接しているか否かを判定する（ステップＳＴ４６）。
モード切替部４２Ａは、使用者によって操作部９が操作されなかったと判定した場合（ステップＳＴ４５でＮＯ）、ステップＳＴ４４へと戻り、制御手段４０は内側測定モードを実行する。
【００４８】
モード切替部４２Ａは、検出手段３０の検出結果から第２測定面１２が被測定物と当接していると判定した場合（ステップＳＴ４６でＹＥＳ）、ステップＳＴ４４へと戻る。そして、制御手段４０は内側測定モードを実行する。
モード切替部４２Ａは、検出手段３０の検出結果から第２測定面１２が被測定物と当接していないと判定した場合（ステップＳＴ４６でＮＯ）、内側測定モードを外側測定モードへと切り替える。そして、ステップＳＴ４１へと戻り、制御手段４０は外側測定モードを実行する。
測定を終了する場合、ノギス１Ａは、使用者によりＯＮ／ＯＦＦスイッチ８Ａが操作されると電源がＯＦＦになり測定を終了する。
【００４９】
このような本実施形態においても、前記第１実施形態における（１），（２）と同様の作用、効果を奏することができる他、以下の作用、効果を奏することができる。
（６）使用者は、使用者からの操作を受け付ける操作部９を操作することで外側測定モードおよび内側測定モードを切り替えることができる。このため、使用者は、外側測定モードを実行させて測定値を取得するか、内側測定モードを実行させて測定値を取得するかを任意のタイミングで選択することができる。したがって、ノギス１の利便性の向上を図ることができる。
【００５０】
〔第３実施形態〕
以下、本発明の第３実施形態を図面に基づいて説明する。なお、以下の説明では、既に説明した部分については同一符号を付してその説明を省略する。
図９は、本発明の第３実施形態に係る測定器であるノギスの概略構成を示すブロック図である。
本実施形態のノギス１Ｂは、前記第１実施形態のノギス１と略同様の構成を備えるとともに、図９に示すように、検出手段３０Ａは、第１外側測定ジョー５の第１測定面１１が被測定物と当接したことを検出する第１検出部３１と、第１外側測定ジョー５の第２測定面１２が被測定物と当接したことを検出する第２検出部３２と、をさらに備えている。また、制御手段４０は、モード切替部４２Ｂを備えている。
【００５１】
前記第１実施形態では、検出手段３０は、第１外側測定ジョー５の第２測定面１２が被測定物と当接した場合に検出結果を出力していた。
本実施形態の検出手段３０Ａは、第１検出部３１と第２検出部３２とを備え、第１検出部３１は、第１測定面１１が被測定物と当接した場合に第１の検出結果を出力し、第２検出部３２は、第２測定面１２が被測定物と当接した場合に第２の検出結果を出力する点で前記第１実施形態と異なる。
【００５２】
また、前記第１実施形態では、モード切替部４２は、検出手段３０から検出結果が出力されなかった場合に外側測定モードに切り替え、検出手段３０から検出結果が出力された場合に内側測定モードに切り替えていた。
本実施形態のモード切替部４２Ｂは、第１検出部３１から第１の検出結果が出力された場合に外側測定モードに切り替え、第２検出部３２から第２の検出結果が出力された場合に内側測定モードに切り替える点で前記第１実施形態と異なる。
【００５３】
図１０は、前記ノギスの制御手段の動作を説明するフローチャートである。
図１０に基づいて制御手段４０の動作について説明する。
ノギス１Ｂは、使用者によりＯＮ／ＯＦＦスイッチ８Ａ（図１参照）が操作されると電源がＯＮになり、測定を開始する。測定が開始されたノギス１Ｂの制御手段４０は、先ず、外側測定モード（図４参照）を実行する（ステップＳＴ５１）。次に、モード切替部４２Ｂは、第１検出部３１および第２検出部３２の検出結果から第１外側測定ジョー５の第１測定面１１または第２測定面１２が被測定物と当接したか否かを判定する（ステップＳＴ５２）。
【００５４】
モード切替部４２Ｂは、第１検出部３１および第２検出部３２の検出結果から第１測定面１１または第２測定面１２が被測定物と当接したと判定した場合（ステップＳＴ５２でＹＥＳ）、続いて、第２測定面１２が被測定物と当接したか否かを判定する（ステップＳＴ５３）。
モード切替部４２Ｂは、第１検出部３１および第２検出部３２の検出結果から第１測定面１１および第２測定面１２のいずれも被測定物と当接しなかったと判定した場合（ステップＳＴ５２でＮＯ）または、第１検出部３１から第１の検出結果を取得し第１測定面１１が被測定物と当接したと判定した場合（ステップＳＴ５３でＮＯ）、ステップＳＴ５１へと戻る。そして、制御手段４０は外側測定モードを実行する。
【００５５】
モード切替部４２Ｂは、第２検出部３２から第２の検出結果を取得し、第２測定面１２が被測定物と当接したと判定した場合（ステップＳＴ５３でＹＥＳ）、続いて、第２の検出結果に基づき第２測定面１２が被測定物と所定の時間当接したか否かを判定する（ステップＳＴ５４）。
モード切替部４２Ｂは、第２の検出結果に基づき第２測定面１２が被測定物と所定の時間当接したと判定した場合（ステップＳＴ５４でＹＥＳ）、外側測定モードを内側測定モード（図５参照）へと切り替える。そして、制御手段４０は内側測定モードを実行する（ステップＳＴ５５）。
モード切替部４２Ｂは、第２の検出結果に基づき第２測定面１２が被測定物と所定の時間当接しなかったと判定した場合（ステップＳＴ５４でＮＯ）、ステップＳＴ５１へと戻る。そして、制御手段４０は外側測定モードを実行する。
【００５６】
内側測定モードが実行されると（ステップＳＴ５５）、モード切替部４２Ｂは、第１検出部３１および第２検出部３２の検出結果から第１測定面１１または第２測定面１２が被測定物と当接しているか否かを判定する（ステップＳＴ５６）。
モード切替部４２Ｂは、第１検出部３１および第２検出部３２の検出結果から第１測定面１１または第２測定面１２が被測定物と当接していると判定した場合（ステップＳＴ５６でＹＥＳ）、続いて、第１測定面１１が被測定物と当接しているか否かを判定する（ステップＳＴ５７）。
【００５７】
モード切替部４２Ｂは、第１検出部３１および第２検出部３２の検出結果から第１測定面１１および第２測定面１２のいずれも被測定物と当接していないと判定した場合（ステップＳＴ５６でＮＯ）、または第２検出部３２から第２の検出結果を取得し第２測定面１２と当接していると判定した場合（ステップＳＴ５７でＮＯ）、ステップＳＴ５５へと戻る。そして、制御手段４０は内側測定モードを実行する。
モード切替部４２Ｂは、第１検出部３１から第１の検出結果を取得し第１測定面１１が被測定物と当接していると判定した場合（ステップＳＴ５７でＹＥＳ）、続いて、第１の検出結果に基づき第１測定面１１が被測定物と所定の時間当接したか否かを判定する（ステップＳＴ５８）。
【００５８】
モード切替部４２Ｂは、第１の検出結果に基づき第１測定面１１が被測定物と所定の時間当接したと判定した場合（ステップＳＴ５８でＹＥＳ）、内側測定モードを外側測定モードへと切り替え、ステップＳＴ５１へと戻る。そして、制御手段４０は外側測定モードを実行する。
モード切替部４２Ｂは、第１の検出結果に基づき第１測定面１１が被測定物と所定の時間当接しなかったと判定した場合（ステップＳＴ５８でＮＯ）、ステップＳＴ５５へと戻る。そして、制御手段４０は内側測定モードを実行する。
測定を終了する場合、ノギス１Ｂは、使用者によりＯＮ／ＯＦＦスイッチ８Ａが操作されると電源がＯＦＦになり、測定を終了する。
【００５９】
このような本実施形態においても、前記第１実施形態における（１），（２），（５）と同様の作用、効果を奏することができる他、以下の作用、効果を奏することができる。
（７）検出手段３０Ａは、外側測定部の測定面が被測定物に当接した場合に第１の検出結果を出力し、内側測定部の測定面が被測定物に当接した場合に第２の検出結果を出力するため、モード切替部４２Ｂは、使用者がノギス１Ｂの外側測定部および内側測定部のどちらを用いて測定をしているかを容易に判定し、第１測定モードおよび第２測定モードを切り替えることができる。
（８）モード切替部４２Ｂは、第１の検出結果または第２の検出結果に基づいて内側測定モードおよび外側測定モードを切り替えるため、自動でモード切り替えをしたとしても、外側測定部または内側測定部に応じたオフセット値が反映された測定値を確実に演算することができる。また、自動的にオフセット値が反映された測定値が得られるため、ノギス１Ｂを用いた作業性の向上を図ることができる。
【００６０】
〔第４実施形態〕
以下、本発明の第４実施形態を図面に基づいて説明する。なお、以下の説明では、既に説明した部分については、同一符号を付してその説明を省略する。
図１１は、本発明の第４実施形態に係る測定器であるノギスの概略構成を示すブロック図である。
本実施形態のノギス１Ｃは、前記第２実施形態のノギス１Ａと略同様の構成を備えるとともに、図１１に示すように、検出手段３０Ｂは、第１外側測定ジョー５の第１測定面１１が被測定物と当接したことを検出する第１検出部３１と、第１外側測定ジョー５の第２測定面１２が被測定物と当接したことを検出する第２検出部３２と、をさらに備えている。また、制御手段４０は、モード切替部４２Ｃを備えている。
【００６１】
前記第２実施形態では、検出手段３０は、第１外側測定ジョー５の第２測定面１２が被測定物と当接した場合に検出結果を出力していた。
本実施形態の検出手段３０Ｂは、第１検出部３１と第２検出部３２とを備え、第１検出部３１は第１測定面１１が被測定物と当接した場合に第１の検出結果を出力し、第２検出部３２は、第２測定面１２が被測定物と当接した場合に第２の検出結果を出力する点で前記第２実施形態と異なる。
【００６２】
また、前記第２実施形態では、モード切替部４２Ａは、検出手段３０から検出結果が出力されなかった場合に外側測定モードに切り替え、検出手段３０から検出結果が出力された場合に内側測定モードに切り替えていた。
本実施形態のモード切替部４２Ｃは、第１検出部３１から第１の検出結果が出力された場合に外側測定モードに切り替え、第２検出部３２から第２の検出結果が出力された場合に内側測定モードに切り替える点で前記第２実施形態と異なる。
【００６３】
図１２は、前記ノギスの制御手段の動作を説明するフローチャートである。
図１２に基づいて制御手段４０の動作について説明する。
ノギス１Ｃは、使用者によりＯＮ／ＯＦＦスイッチ８Ａ（図６参照）が操作されると電源がＯＮになり、測定を開始する。測定が開始されたノギス１Ｃの制御手段４０は、先ず、外側測定モード（図４参照）を実行する（ステップＳＴ６１）。次に、モード切替部４２Ｃは、使用者によって操作部９（図６参照）が操作されたか否かを判定する（ステップＳＴ６２）。
【００６４】
モード切替部４２Ｃは、使用者によって操作部９が操作されたと判定した場合（ステップＳＴ６２でＹＥＳ）、続いて、第１検出部３１および第２検出部３２の検出結果から第１測定面１１または第２測定面１２が被測定物と当接しているか否かを判定する（ステップＳＴ６３）。
モード切替部４２Ｃは、第１検出部３１および第２検出部３２の検出結果から第１測定面１１または第２測定面１２が被測定物と当接していると判定した場合（ステップＳＴ６３でＹＥＳ）、続いて、第２測定面１２が被測定物と当接しているか否かを判定する（ステップＳＴ６４）。
【００６５】
モード切替部４２Ｃは、使用者によって操作部９が操作されなかったと判定した場合（ステップＳＴ６２でＮＯ）、または第１測定面１１および第２測定面１２のいずれも被測定物と当接していなかったと判定した場合（ステップＳＴ６３でＮＯ）、ステップＳＴ６１へと戻る。そして、制御手段４０は外側測定モードを実行する。
【００６６】
モード切替部４２Ｃは、第２検出部３２から第２の検出結果を取得し第２測定面１２が被測定物と当接していると判定した場合（ステップＳＴ６４でＹＥＳ）、外側測定モードを内側測定モード（図５参照）へと切り替える。そして、制御手段４０は内側測定モードを実行する（ステップＳＴ６５）。
モード切替部４２Ｃは、ステップＳＴ６４において第１検出部３１から第１の検出結果を取得し第１測定面１１が被測定物と当接していると判定した場合（ステップＳＴ６４でＮＯ）、ステップＳＴ６１へと戻り、制御手段４０は外側測定モードを実行する。
【００６７】
内側測定モードが実行されると（ステップＳＴ６５）、モード切替部４２Ｃは、使用者によって操作部９が操作されたか否かを判定する（ステップＳＴ６６）。
モード切替部４２Ｃは、使用者によって操作部９が操作されたと判定した場合（ステップＳＴ６６でＹＥＳ）、続いて、第１検出部３１および第２検出部３２の検出結果から第１測定面１１または第２測定面１２が被測定物と当接しているか否かを判定する（ステップＳＴ６７）。
モード切替部４２Ｃは、第１検出部３１および第２検出部３２の検出結果から第１測定面１１または第２測定面１２が被測定物と当接していると判定した場合（ステップＳＴ６７でＹＥＳ）、続いて、第１測定面１１が被測定物と当接しているか否かを判定する（ステップＳＴ６８）。
【００６８】
モード切替部４２Ｃは、使用者によって操作部９が操作されなかったと判定した場合（ステップＳＴ６６でＮＯ）、または第１検出部３１および第２検出部３２の検出結果から第１測定面１１および第２測定面１２のいずれも被測定物と当接していなかったと判定した場合（ステップＳＴ６７でＮＯ）、ステップＳＴ６５へと戻る。そして、制御手段４０は内側測定モードを実行する。
【００６９】
モード切替部４２Ｃは、第１検出部３１から第１の検出結果を取得し第１測定面１１が被測定物と当接していると判定した場合（ステップＳＴ６８でＹＥＳ）、内側測定モードを外側測定モードへと切り替える。そして、ステップＳＴ６１へと戻り制御手段４０は外側測定モードを実行する。
モード切替部４２Ｃは、ステップＳＴ６８において第２検出部３２から第２の検出結果を取得し第２測定面１２が被測定物と当接していると判定した場合（ステップＳＴ６８でＮＯ）、ステップＳＴ６５へと戻り、制御手段４０は内側測定モードを実行する。
測定を終了する場合、ノギス１Ｃは、使用者によりＯＮ／ＯＦＦスイッチ８Ａが操作されると電源がＯＦＦになり、測定を終了する。
【００７０】
このような本実施形態においても、前記第２実施形態と同様の作用、効果を奏することができる他、以下の作用、効果を奏することができる。
（９）検出手段３０Ｂは、外側測定部の測定面が被測定物に当接した場合に第１の検出結果を出力し、内側測定部の測定面が被測定物に当接した場合に第２の検出結果を出力するため、モード切替部４２Ｃは、使用者がノギス１Ｃの外側測定部および内側測定部のどちらを用いて測定をしているかを容易に判定し、第１測定モードおよび第２測定モードを切り替えることができる。
【００７１】
〔第５実施形態〕
以下、本発明の第５実施形態を図面に基づいて説明する。なお、以下の説明では、既に説明した部分については同一符号を付してその説明を省略する。
図１３は、本発明の第５実施形態に係る測定器であるノギスの概略構成を示すブロック図である。
本実施形態のノギス１Ｄは、前記第３実施形態のノギス１Ｂと略同様の構成を備えるとともに、図１３に示すように、検出手段３０Ｃは、第１検出部３１および第２検出部３２の他、第２外側測定ジョー６の第３測定面１３が被測定物と当接したことを検出する第３検出部３３と、第２外側測定ジョー６の第４測定面１４が被測定物と当接したことを検出する第４検出部３４と、をさらに備えている。また、制御手段４０は、モード切替部４２Ｄを備えている。
【００７２】
前記第３実施形態では、検出手段３０Ａは、第１検出部３１と第２検出部３２とを備え、第１検出部３１は、第１測定面１１が被測定物と当接した場合に第１の検出結果を出力し、第２検出部３２は、第２測定面１２が被測定物と当接した場合に第２の検出結果を出力していた。
本実施形態では、検出手段３０Ｃは、第１検出部３１〜第４検出部３４を備え、第１検出部３１および第３検出部３３は、第１測定面１１および第３測定面１３の両方が被測定物と当接した場合に第１の検出結果を出力し、第２検出部３２および第４検出部３４は、第２測定面１２および第４測定面１４が被測定物と当接した場合に第２の検出結果を出力する点で前記第３実施形態と異なる。
【００７３】
図１４は、前記ノギスの制御手段の動作を説明するフローチャートである。
図１４に基づいて制御手段４０の動作について説明する。
ノギス１Ｄは、使用者によりＯＮ／ＯＦＦスイッチ８Ａ（図１参照）が操作されると電源がＯＮになり、測定を開始する。測定が開始されたノギス１Ｄの制御手段４０は、先ず、外側測定モード（図４参照）を実行する（ステップＳＴ７１）。次に、モード切替部４２Ｄは、第１検出部３１〜第４検出部３４の検出結果から第１測定面１１〜第４測定面１４のいずれかが被測定物と当接したか否かを判定する（ステップＳＴ７２）。
【００７４】
モード切替部４２Ｄは、第１検出部３１〜第４検出部３４の検出結果から第１測定面１１〜第４測定面１４のいずれかが被測定物と当接したと判定した場合（ステップＳＴ７２でＹＥＳ）、続いて、第２測定面１２および第４測定面１４の両方が被測定物と当接したか否かを判定する（ステップＳＴ７３）。
モード切替部４２Ｄは、第１検出部３１〜第４検出部３４の検出結果から第１測定面１１〜第４測定面１４のいずれも被測定物と当接しなかったと判定した場合（ステップＳＴ７２でＮＯ）または第２測定面１２および第４測定面１４以外の組み合わせで当接していると判定した場合（ステップＳＴ７３でＮＯ）、ステップＳＴ７１へと戻る。そして、制御手段４０は外側測定モードを実行する。
【００７５】
モード切替部４２Ｄは、第２検出部３２および第４検出部３４から第２の検出結果を取得し、第２測定面１２および第４測定面１４の両方が被測定物と当接したと判定した場合（ステップＳＴ７３でＹＥＳ）、続いて、第２の検出結果に基づき第２測定面１２および第４測定面１４の両方が被測定物と所定の時間当接したか否かを判定する（ステップＳＴ７４）。
【００７６】
モード切替部４２Ｄは、第２の検出結果から第２測定面１２および第４測定面１４の両方が被測定物と所定の時間当接したと判定した場合（ステップＳＴ７４でＹＥＳ）、外側測定モードを内側測定モード（図５参照）へと切り替える。そして、制御手段４０は内側測定モードを実行する（ステップＳＴ７５）。
モード切替部４２Ｄは、第２の検出結果から第２測定面１２および第４測定面１４の両方が被測定物と所定の時間当接しなかったと判定した場合（ステップＳＴ７４でＮＯ）、ステップＳＴ７１へと戻る。そして、制御手段４０は外側測定モードを実行する。
【００７７】
内側測定モードが実行されると（ステップＳＴ７５）、モード切替部４２Ｄは、第１検出部３１〜第４検出部３４の検出結果から第１測定面１１〜第４測定面１４のいずれかが被測定物と当接しているか否かを判定する（ステップＳＴ７６）。
モード切替部４２Ｄは、第１検出部３１〜第４検出部３４の検出結果から第１測定面１１〜第４測定面１４のいずれかが被測定物と当接していると判定した場合（ステップＳＴ７６でＹＥＳ）、続いて、第１測定面１１および第３測定面１３の両方が被測定物と当接しているか否かを判定する（ステップＳＴ７７）。
【００７８】
モード切替部４２Ｄは、第１検出部３１〜第４検出部３４の検出結果から第１測定面１１〜第４測定面１４のいずれも被測定物と当接していないと判定した場合（ステップＳＴ７６でＮＯ）または第１測定面１１および第３測定面１３以外の組み合わせで当接していると判定した場合（ステップＳＴ７７でＮＯ）、ステップＳＴ７５へと戻り、制御手段４０は内側測定モードを実行する。
モード切替部４２Ｄは、第１検出部３１および第３検出部３３から第１の検出結果を取得し、第１測定面１１および第３測定面１３の両方が被測定物と当接していると判定した場合（ステップＳＴ７７でＹＥＳ）、続いて、第１の検出結果に基づき第１測定面１１および第３測定面１３の両方が被測定物と所定の時間当接したか否かを判定する（ステップＳＴ７８）。
【００７９】
モード切替部４２Ｄは、第１の検出結果に基づき第１測定面１１および第３測定面１３の両方が被測定物と所定の時間当接したと判定した場合（ステップＳＴ７８でＹＥＳ）、内側測定モードを外側測定モードへと切り替え、ステップＳＴ７１へと戻る。そして、制御手段４０は外側測定モードを実行する。
モード切替部４２Ｄは、第１の検出結果に基づき第１測定面１１および第３測定面１３の両方が被測定物と所定の時間当接しなかったと判定した場合（ステップＳＴ７８でＮＯ）、ステップＳＴ７５へと戻る。そして、制御手段４０は内側測定モードを実行する。
測定を終了する場合、ノギス１Ｄは、使用者によりＯＮ／ＯＦＦスイッチ８Ａが操作されると電源がＯＦＦになり、測定を終了する。
【００８０】
このような本実施形態においても、前記第３実施形態と同様の作用、効果を奏することができる他、以下の作用、効果を奏することができる。
（１０）検出手段３０Ｃは、外側測定部である第１測定面１１および第３測定面１３の両方が被測定物に当接した場合に第１の検出結果を出力し、内側測定部である第２測定面１２および第４測定面１４の両方が被測定物に当接した場合に第２の検出結果を出力するため、検出結果の誤検出を防ぐことができる。したがって、モード切替部４２Ｄは、ノギス１Ｄが外側測定モードおよび内側測定モードのどちらを用いて測定をしているかを容易に判断するとともに、安定して第１測定モードおよび第２測定モードを切り替えることができる。
【００８１】
〔実施形態の変形〕
なお、本発明は、前記各実施形態に限定されるものではなく、本発明の目的を達成できる範囲での変形、改良等は本発明に含まれるものである。
例えば、前記各実施形態では、ノギス１，１Ａ〜１Ｄに本発明を用いる場合を説明したが、測定器としては、複数の測定部を備えたものであればよく、検出器の形式や検出方式等は特に限定されるものではない。
また、検出手段３０，３０Ａ〜３０Ｃは、第１外側測定ジョー５および第２外側測定ジョー６が被測定物と当接したか否かを検出していたが、第１内側測定ジョー５Ａおよび第２内側測定ジョー６Ａの測定面の検出をしてもよいし、ノギス１，１Ａ〜１Ｄにおいて測定に用いられる他の測定面の検出をしてもよい。
【００８２】
前記第１実施形態および前記第２実施形態では、検出手段３０は第２測定面１２が被測定物と当接するか否かを検出していたが、第１測定面１１の検出をしてもよい。
また、前記第３実施形態および前記第４実施形態では、第１検出部３１および第２検出部３２は、第１測定面１１および第２測定面１２が被測定物と当接するか否かを検出していたが、第３測定面１３および第４測定面１４の検出をしてもよいし、第１測定面１１および第４測定面１４の検出をしてもよいし、第２測定面１２および第３測定面１３の検出をしてもよい。
【００８３】
前記第１，３，５実施形態では、モード切替部４２は、検出手段３０，３０Ａ〜３０Ｃから所定の時間継続して検出結果が出力された場合に外側測定モードおよび内側測定モードを切り替えていたが、検出手段３０，３０Ａ〜３０Ｃから検出結果が出力された場合に瞬時に外側測定モードおよび内側測定モードを切り替えてもよい。また、前記第５実施形態では、ノギス１Ｄは操作部９を備えていなかったが、操作部９を備えていてもよい。
【００８４】
前記各実施形態では、外側測定モードのオフセット値を０ｍｍとし、内側測定モードのオフセット値を４ｍｍとしたが、測定器の測定部に応じてオフセット値を設定してもよい。
具体的には、例えば前記第５実施形態は、第１測定面１１および第４測定面１４を用いて被測定物を測定する第３測定部を有するとする。この際、第３測定部により測定を実行する第３測定モードはオフセット値を有し、第３測定モードに関連付けられたオフセット値は２ｍｍであるとする。先ず、第３測定部と対応するオフセット値をあらかじめ記憶部５０に記憶しておく。次に、第１測定面１１および第４測定面１４の両方が被測定物と当接したことを検出する第１検出部３１および第４検出部３４から検出結果が出力された場合、モード切替部４２Ｄは、検出結果に基づくオフセット値を記憶部５０から読み込む。そして、モード切替部４２Ｄはオフセット値を測定値演算部４１に出力し、測定値演算部４１は第１測定面１１と第４測定面１４に対応する測定値を算出する。
【００８５】
このように、使用者が測定に使用する測定部に応じたオフセット値をあらかじめ記憶部５０に記憶させ、これらを検出手段３０，３０Ａ〜３０Ｃに検出させ、モード切替部４２，４２Ａ〜４２Ｄは、検出結果に応じてオフセット値を記憶部５０から読み込み、測定値演算部４１に出力して測定値を算出させてもよい。また、このオフセット値は、使用者の選択によって操作部９で切り替えられるようにしてもよい。
【産業上の利用可能性】
【００８６】
以上のように、本発明は、被測定物に当接させて測定する複数の測定部を備える測定器に好適に利用できる。
【符号の説明】
【００８７】
１，１Ａ〜１Ｄ  ノギス（測定器）
２          本尺
３          スライダ
５          第１外側測定ジョー
６          第２外側測定ジョー
７          表示部
９          操作部
１１          第１測定面
１２          第２測定面
１３          第３測定面
１４          第４測定面
２０          エンコーダ（出力手段）
３０，３０Ａ〜３０Ｃ      検出手段
４０          制御手段
４１          測定値演算部
４２          モード切替部
５０          記憶部
【図１】
2017198478.tif 000003
【図２】
2017198478.tif 000004
【図３】
2017198478.tif 000005
【図４】
2017198478.tif 000006
【図５】
2017198478.tif 000007
【図６】
2017198478.tif 000008
【図７】
2017198478.tif 000009
【図８】
2017198478.tif 000010
【図９】
2017198478.tif 000011
【図１０】
2017198478.tif 000012
【図１１】
2017198478.tif 000013
【図１２】
2017198478.tif 000014
【図１３】
2017198478.tif 000015
【図１４】
2017198478.tif 000016
【図１５】
2017198478.tif 000017
【図１６】
2017198478.tif 000018